(57)【要約】      （修正有）【課題】揚液システム系に於いて，空気室の原理と、パスカルの原理と、重力の相乗効果作用によって、大気圧エネルギーを利用して、液体の低位置エネルギーを高位置エネルギーに変換させて揚液動力を減少させる装置。【解決手段】減圧された空気層を持つ上部密閉タンク１と下部にポンプ１０・揚液管１１・降液管５・水車発電機６・水槽８を持ち、内部を液体が循環する。揚液ポンプを作動させて、液体を断続的に送出すると、上部タンクの減圧された空気層３の弾性力の復元力（収縮）によって、上部タンク内の液面２が引き上げられるのにつれて、揚液菅・ポンプ内の液体が吸い上げられるのでポンプの動力は非常に減少する。空気層の弾性力が減少するので次の瞬間には、降液管内の液柱の自由落下につれて、タンク内の液面が低下するので、空気層の弾性力は引張して元に戻る。サイクルを繰り返して、ポンプ動力よりも水車発電機の出力を大きくする事ができる。【選択図】図１
2012137080.tif 000002
【特許請求の範囲】
【請求項１】
タンク（１）内に液体部（２）と減圧された気体部（３）とを形成し、一端がタンク（１）外より液体部（２）に連通する降液管（５）を設け、其の降液管（５）の他方を垂直方向にタンク（１）内の液面（４）以下に延設し、其の液面（４）以下の降液管（５）の延設部下部に排液バルブ（５‘）・水車（６）・排液口（７）を設け、其の排液口（７）が浸漬する貯液槽（８）を設置する、其の液面（４）は大気中に開放されている。其の貯液槽（８）より吸液管（９）と間欠的に液体を吸入圧出する揚液ポンプ（１０）・揚液管（１１）・逆止弁（１２）等を通じて、タンク（１）の底面を通じて、タンク（１）内の液体部（２）に連通して液体を循環させて、パスカルの法則。とフックの法則。と重力の相乗効果作用。を利用してエネルギーを発生させる揚液装置。
【請求項２】
「請求項１」記載の間欠的揚液ポンプ（１０）の駆動部の回転部分にフライホイールを装着する揚液装置。
【請求項３】
「請求項１」「請求項２」記載の図１の抜気バルブ（１３）部分に吸排気ポンプを設置する揚液装置。
【請求項４】
「請求項１」「請求項２」請求項３」記載の図１のタンク（１）内の圧力の急変動に対処する、停止装置を設置した揚液装置。
【発明の詳細な説明】
【技術分野】
【０００１】  揚液システム系に於ける揚液装置に関するもの。
【背景技術】
【０００２】  空気室の原理により気体の収縮、膨張性による、弾性力を利用して、水撃ポンプ・ピストンポンプ・油圧機構等に利用されて、エネルギーを吸入したり放出したり、と言う利用法であった。
これ等は、すべて空気室の圧力は、大気圧の圧力よりも高かった。空気室の圧力を大気圧以下の負圧にして、空気室自体を高所に設置して利用する方法は無かった。
【発明の開示】
【発明が解決しようとする課題】
【０００３】  従来の揚液装置に於いては、揚液動力はすべて、モータ動力（電気、化石燃料）であったが。当揚液装置は、空気室を高所に設置して其の圧力を負圧にする事によって、大気圧の圧力エネルギーを増幅して利用する事が出来るので非常に少ないエネルギーで揚液出来る揚液装置を提供するものである。
【課題を解決するための手段】
【０００４】  タンク１内に、液体部２と減圧された気体部３とを形成し、一端がタンク１外より液体部２に連通する降液管５を設け、其の降液管５の他方を垂直方向にタンク１内の液面４以下に延設し、その降液管５の延設部の下部に排液バルブ５‘・水車６・排液口７を設け、其の排液口７が浸漬する貯液槽８を設置する、其の液面４は、大気圧中の開放されている。其の貯液槽８より吸液管９・間欠的揚液ポンプ１０・揚液管１１・逆止弁１２等を通じて、タンク１内の液体部２の下部に連通されている。タンク１内の空気体積と液体体積、液体表面積は、間欠的揚液ポンプ１０のピストン断面積、流量に対して非常に大きく設定されている。
【発明の作用】
【０００５】  以下説明上液体は、水とする。
図面１の如く空間にある  高さ  を持った負圧の水表面積４を持つ空気室に、低位置に設定されている間欠的揚液ポンプ１０にて送水すると、空気室の負圧と大気圧との圧力差と、パスカルの法則（水圧機の原理）により、空気室の大きな水表面積と、小断面積の揚液管１１と間欠的揚液ポンプ１０の中の水柱は、空気室の水表面積の大きな力比と小さな速比となり、小さな断面積の間欠的揚液ポンプ１０のピストン面のピストンの小さな力比と大きな速比の関係となって、間欠的揚液ポンプを作動させると空気室の方へ吸い込まれる。換言すると、大気圧によって空気室の方へ押し込まれるので、ポンプ動力は非常に減少する。
空気室とは、タンク１の事であって其の内部に、気体部分３と液体部分２を持つ装置である。上記の現象は、すべて空気室の原理によるものである。
【実施例１】
【０００６】    この実施例は、請求項１の実施例である。
図面１の如く波線の部分に水を充満させる、この時の気体部分の圧力は大気圧と同圧とする。降液管バルブ５‘  を開放して水を自由落下させると、タンク１内の気体部分３の圧力は低下して、大気圧以下の一定の負圧になる、と同時に間欠的揚液ポンプ１０を作動させて、水をタンク１内に圧入させる。この時、空気室内に応力が発生して、強力な吸引力が発生する。ポンプ圧入量と、降液管５内の落下流量を一定にすると、タンク１内の気体部分３の圧力は、一定の範囲内で微小の圧力変動を繰り返す。
落下した水は、貯液槽８に溜り、そこから吸液管９・間欠的揚液ポンプ１０・揚液管１１等を通って、タンク１内に吸い込まれる。タンク１内に入った水は、降液管５内の水柱の重量によって自由落下して、降液管５の下部に設置して在る水車・発電機６を回転させて貯液槽８へと戻って、水は循環する。
この間に於いて、タンク１内の気体部分３は、空気室の原理によって、間欠的揚液ポンプ１０によって送り込まれた水は、タンク１内の気体部分３を圧縮、（収縮）して水のエネルギーを吸い上げられる。と同時に、降液管５内の水柱の重量による自由落下の流量によって、タンク１内の気体部分３を膨張させて、エネルギーを放出する。
この様に、気体の膨張・収縮による（弾性力による）上下の伸縮運動は、タンク１内の液体部分２の液面４を上下動させる。この力は、連続の理によって、揚液管１１・間欠的揚液ポンプ１０のピストン面を通じて、ピストンに連なるロット、それに連なるポンプの回転部分、更に動力部分の回転部分にも及ぶので、此処にフライホイールを装着する事によって、上記の大気圧の圧力エネルギーと負圧エネルギーの往復運動を回転運動エネルギーに変換出来る。
此れは又、パスカルの法則（水圧機の原理）によって、間欠的揚液ポンプ１０の送水時に作用して、間欠的揚液ポンプ１０の動力を減少させる。そして間欠的揚液ポンプ１０の休止期（吸い込み期）には、逆止弁１２によって、そのエネルギーの逆流を防止する。従って、間欠的揚液ポンプ１０の動力を非常に減少させる事が出来る。
タンク１内の気体部分３の圧力は、間欠的揚液ポンプ１０の送水によって、水量が増加して圧縮されて増加するが、次の瞬間、降液管５の水柱の重量による自由落下によって、水量が減少して膨張して減少するので、タンク１内の気体部分３の弾性力は原理的には減失する事はない。
降液管５を自由落下した水は、タンク１内の気体部分３の圧力を低下させた水柱分を差し引いた残りの水柱分は、降液管５の下部に設置した水車６・発電機を回転させて電気エネルギーとして、外部に取り出す事が出来る。
【実施例２】
【０００７】  この実施例は、「請求項３」の実施例である。
長期間の運転中に際して、循環する水の中に含まれる気体がタンク１内の液体表面４から、タンク１内の気体部分３に分離する。又は、タンク１内の気体部分３の気体が液体表面４から水中に溶解する恐れがあるので、タンク１内の気体部分３の気体体積を常に一定にする為に吸排気を行って調節する装置である。
【産業上の利用可能性】
【０００８】  本発明は、クリーンで無料の大気圧エネルギーを、水の高位置エネルギーに変換出来るので、此れを自由落下させて水車６・発電機を回転させる事によって、電気エネルギーに変換して外部に取り出す事が出来る揚液装置である。
【図面の簡単な説明】
【０００９】
【図１】本発明の実施例の立体的略図である。
【符号の説明】
【０００１０】１        タンク
２        液体部
３        気体部
４        液面
５        降液管
５‘      排液バルブ
６        水車・発電機
７        排液口
８        貯液槽
９        吸液管
１０      間欠的揚液ポンプ
１０‘    揚液バルブ
１１      揚液管
１２      逆止弁
１３      抜気バルブ・圧力計
【図１】
2012137080.tif 000003